【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
励起パターンを符号化する方法であって、該励起パターンにより対応する励起パターンの復号化に続いてオーディオ信号の符号化のマスキングレベルが求められ、
前記オーディオ信号の符号化のために、前記オーディオ信号が、異なるウィンドウ及びスペクトル変換長を使用して連続して処理され、最長の変換長の所定数倍を表すオーディオ信号の部分がフレームとして表現され、前記励起パターンが、前記オーディオ信号の連続する部分のスペクトル表現に関係付けられ、当該方法は、
ａ）  前記オーディオ信号の現在のフレームについて、連続する励起パターンの対応する群のそれぞれにおいて、励起パターンのマトリクスＰを形成する工程であって、異なるスペクトル変換長の各々について、対応する励起パターンが前記マトリクスＰに含められ、マトリクスＰのエントリ各々の対数をとる工程であって、生成されたマトリクスのサイズが後続の変換に適していない場合、前記マトリクスのサイズは、マトリクス境界にある励起パターンの値を必要な回数だけ複製することによって増やされる、工程と、
ｂ）  対数化されたマトリクスＰの値に２次元変換を施すことで、マトリクスＰＴを得る工程と、
ｃ）  前記マトリクスＰＴにおける係数による所定のソート順序でソーティングを行う工程であって、前記所定のソート順序は前記マトリクスのサイズに依存し、マトリクスのサイズは前記現在のフレームにおける最長ではない変換長の数に依存しかつ対応するソートインデクスによって表現される工程であって、最初の値から始めて、対応するソート経路における一定個数の値のみを取得し、該値とともにマトリクスＰＴの二次バージョンＰＴｑを形成する、工程と、
ｄ）  マトリクスＰＴｑについてＳＰＥＣＫ符号化を行う工程であって、マトリクスＰＴｑのＳＰＥＣＫ符号化ビット平面が処理され、該ＳＰＥＣＫ符号化ビット平面における対応する係数ビットの位置を特定して符号化するために、一連の分割が使用される工程と
を含む方法。
【請求項２】
工程ｂ）及び工程ｃ）の間において、統計的に最小の振幅を有する周波数を表す少なくとも１つのマトリクス境界の列又は行を除去することによって、マトリクスＰＴのサイズが削減される、請求項１に記載の方法。
【請求項３】
現在のウィンドウ及びスペクトル変換長をシグナリングするためのウィンドウタイプ符号（ＷＴ）と、選択的に、現在のマトリクスサイズをシグナリングするソートインデクスとが、符号化されたオーディオ信号ビットストリームに含まれる、請求項１又は２に記載の方法。
【請求項４】
デコーダが励起パターンを復号化する方法であって、励起パターンはエンコーダにおいて符号化されたものであり、該励起パターンにより対応する励起パターンのエンコーダによる復号化に続いてオーディオ信号の符号化のマスキングレベルが求められており、符号化されたオーディオ信号を表現する符号化された周波数ビンと符号化された励起パターンの励起データマトリクスコードとを含むビットストリームが提供されており、
前記オーディオ信号について、前記オーディオ信号の符号化は、異なるウィンドウ及びスペクトル変換長を使用して連続して処理され、最長の変換長の所定数倍を表すオーディオ信号の部分がフレームとして表現され、前記励起パターンが、前記オーディオ信号の連続する部分のスペクトル表現に関係付けられ、前記励起パターンを符号化する場合に、
１ａ）  前記オーディオ信号の現在のフレームについて、連続する励起パターンの対応する群のそれぞれにおいて、励起パターンのマトリクスＰが形成され、マトリクスＰのエントリ各々の対数が取得され、異なるスペクトル変換長の各々について、対応する励起パターンが前記マトリクスＰに含められ、生成されたマトリクスのサイズが後続の変換に適していない場合、前記マトリクスのサイズは、マトリクス境界にある励起パターンの値を必要な回数だけ複製することによって増やされ、
１ｂ）  対数化されたマトリクスＰの値に２次元変換が施すことで、マトリクスＰＴが得られ、
１ｃ）  前記マトリクスＰＴにおける係数に対して所定のソート順序でソーティングが行われ、最初の値から始めて、対応するソート経路における一定個数の値のみが取得され、該値とともにマトリクスＰＴの二次バージョンＰＴｑが形成され、前記所定のソート順序は前記マトリクスのサイズに依存し、マトリクスのサイズは前記現在のフレームにおける最長ではない変換長の数に依存しかつ対応するソートインデクスによって表現され、前記所定のソート順序のソーティングによるデータと対応するソート経路における一定個数の値とが、励起データマトリクスコードに含められており、
１ｄ）  マトリクスＰＴｑについてＳＰＥＣＫ符号化が行われ、マトリクスＰＴｑのＳＰＥＣＫ符号化ビット平面が処理され、該ＳＰＥＣＫ符号化ビット平面における対応する係数ビットの位置を特定して符号化するために、一連の分割が使用されており、
デコーダにおいて、前記励起データマトリクスコードが前記ビットストリームから分離され、前記励起データマトリクスコードから、前記符号化周波数ビンのデコードのマスキングレベルが判定され、
前記励起データマトリクスコードを復号化する当該方法は、
２ａ）  前記励起データマトリクスコードを利用して、二次マトリクスＰＴｑについて対応するＳＰＥＣＫ復号化を行う工程と、
２ｂ）  前記対応するソート経路における一定個数の数値に応じて、前記ソート経路におけるデータの元の数を獲得するために再構成マトリクスＰＴｑのデータにゼロを加える工程と、現在のマトリクスの所定のソート順序のデータに応じた逆のソート順序によるソーティングを施すことにより、前記データを前記再構成マトリクスＰＴに戻す工程であって、前記所定のソート順序のデータは適切なマトリクスサイズを設定するためにも使用される、工程と、
２ｃ）  対応する２次元逆変換及び逆対数化をマトリクスＰＴに対して施し、前記再構成された励起パターンマトリクスＰを獲得する工程と
を有する方法。
【請求項５】
工程ｂ）及び工程ｃ）の間において、統計的に最小の振幅を有する周波数を表すマトリクス境界の列又は行の欠落している値にゼロを挿入して前記再構成マトリクスＰＴを獲得する、請求項４に記載の方法。
【請求項６】
前記マトリクスサイズ及びソート順序のデータは、フレーム毎のショートウィンドウの数から自動的に決定される、請求項４又は５に記載の方法。
【請求項７】
励起パターンが符号化されている場合におけるオーディオ信号符号化器であって、該励起パターンにより対応する励起パターンの復号化に続いてオーディオ信号の符号化のマスキングレベルが求められ、
前記オーディオ信号の符号化のために、前記オーディオ信号が、異なるウィンドウ及びスペクトル変換長を使用して連続して処理され、最長の変換長の所定数倍を表すオーディオ信号の部分がフレームとして表現され、前記励起パターンが、前記オーディオ信号の連続する部分のスペクトル表現に関係付けられ、当該オーディオ信号符号化器は、
前記オーディオ信号の現在のフレームについて、連続する励起パターンの対応する群のそれぞれにおいて、励起パターンのマトリクスＰを形成する手段であって、異なるスペクトル変換長の各々について、対応する励起パターンが前記マトリクスＰに含められ、マトリクスＰのエントリ各々の対数をとる手段であって、
生成されたマトリクスのサイズが後続の変換に適していない場合、前記マトリクスのサイズは、マトリクス境界にある励起パターンの値を必要な回数だけ複製することによって増やされ、
対数化されたマトリクスＰの値に２次元変換を施すことで、マトリクスＰＴが得られ、  前記マトリクスＰＴにおける係数による所定のソート順序でソーティングがなされ、前記所定のソート順序は前記マトリクスのサイズに依存し、マトリクスのサイズは前記現在のフレームにおける最長ではない変換長の数に依存しかつ対応するソートインデクスによって表現され、
最初の値から始めて、対応するソート経路における一定個数の値のみを取得し、該値とともにマトリクスＰＴの二次バージョンＰＴｑを形成する、手段と、
マトリクスＰＴｑについてＳＰＥＣＫ符号化を行う手段であって、マトリクスＰＴｑのＳＰＥＣＫ符号化ビット平面が処理され、該ＳＰＥＣＫ符号化ビット平面における対応する係数ビットの位置を特定して符号化するために、一連の分割が使用される手段と
を含むオーディオ信号符号化器。
【請求項８】
前記２次元変換と所定のソート順序のソーティングとの間に、マトリクスＰＴのサイズが、統計的に最低の振幅を統計的に有する周波数を表す少なくとも１つのマトリクス境界列又は行を削除することによって削減される、請求項７に記載のオーディオ信号符号化器。
【請求項９】
現在のウィンドウ及びスペクトル変換長をシグナリングするためのウィンドウタイプ符号（ＷＴ）と、選択的に、前記現在のマトリクスサイズをシグナリングするソートインデクスとが、符号化されたオーディオ信号ビットストリームに含まれる、請求項７又は８に記載のオーディオ信号符号化器。
【請求項１０】
デコーダにおいて励起パターンを復号化するための装置であって、励起パターンはエンコーダにおいて符号化されたものであり、該励起パターンにより対応する励起パターンのエンコーダによる復号化に続いてオーディオ信号の符号化のマスキングレベルが求められており、符号化されたオーディオ信号を表現する符号化された周波数ビンと符号化された励起パターンの励起データマトリクスコードとを含むビットストリームが提供されており、
前記オーディオ信号について、前記オーディオ信号の符号化は、異なるウィンドウ及びスペクトル変換長を使用して連続して処理され、最長の変換長の所定数倍を表すオーディオ信号の部分がフレームとして表現され、前記励起パターンが、前記オーディオ信号の連続する部分のスペクトル表現に関係付けられ、前記励起パターンを符号化する場合に、
１ａ）  前記オーディオ信号の現在のフレームについて、連続する励起パターンの対応する群のそれぞれにおいて、励起パターンのマトリクスＰが形成され、マトリクスＰのエントリ各々の対数が取得され、異なるスペクトル変換長の各々について、対応する励起パターンが前記マトリクスＰに含められ、生成されたマトリクスのサイズが後続の変換に適していない場合、前記マトリクスのサイズは、マトリクス境界にある励起パターンの値を必要な回数だけ複製することによって増やされ、
１ｂ）  対数化されたマトリクスＰの値に２次元変換が施すことで、マトリクスＰＴが得られ、
１ｃ）  前記マトリクスＰＴにおける係数に対して所定のソート順序でソーティングが行われ、最初の値から始めて、対応するソート経路における一定個数の値のみが取得され、該値とともにマトリクスＰＴの二次バージョンＰＴｑが形成され、前記所定のソート順序は前記マトリクスのサイズに依存し、マトリクスのサイズは前記現在のフレームにおける最長ではない変換長の数に依存しかつ対応するソートインデクスによって表現され、前記所定のソート順序のソーティングによるデータと対応するソート経路における一定個数の値とが、励起データマトリクスコードに含められており、
１ｄ）  マトリクスＰＴｑについてＳＰＥＣＫ符号化が行われ、マトリクスＰＴｑのＳＰＥＣＫ符号化ビット平面が処理され、該ＳＰＥＣＫ符号化ビット平面における対応する係数ビットの位置を特定して符号化するために、一連の分割が使用されており、
デコーダにおいて、前記励起データマトリクスコードが前記ビットストリームから分離され、前記励起データマトリクスコードから、前記符号化周波数ビンのデコードのマスキングレベルが判定され、
前記励起データマトリクスコードを復号化する当該装置は、
２ａ）  前記励起データマトリクスコードを利用して、二次マトリクスＰＴｑについて対応するＳＰＥＣＫ復号化を行う手段であって、
２ｂ）  前記対応するソート経路における一定個数の数値に応じて、前記ソート経路におけるデータの元の数を獲得するために再構成マトリクスＰＴｑのデータにゼロを加え、現在のマトリクスの所定のソート順序のデータに応じた逆のソート順序によるソーティングを施すことにより、前記データを前記再構成マトリクスＰＴに戻す手段であって、前記所定のソート順序のデータは適切なマトリクスサイズを設定するためにも使用され、
２ｃ）  対応する２次元逆変換及び逆対数化をマトリクスＰＴに対して施し、前記再構成された励起パターンマトリクスＰを獲得する手段
を有する装置。
【請求項１１】
逆順のソーティングに続き、統計的に最小の振幅を有する周波数を表現するマトリクス境界の列又は行の欠落している値にゼロを挿入し、再構成マトリクスＰＴを獲得する請求項１０に記載の装置。
【請求項１２】
前記マトリクスサイズ及びソート順序のデータは、フレーム毎のショートウィンドウの数から自動的に決定される、請求項１０又は１１に記載の装置。
【手続補正２】
【補正対象書類名】明細書
【補正対象項目名】発明の名称
【補正方法】変更
【補正の内容】
【発明の名称】符号化する方法、復号化する方法、オーディオ信号符号化器及び装置